(57)【要約】  本発明に基づく内刃体（３）は、それぞれ対を成して配置された複数の刃（３）を有し、各対の刃（３）の互いに向かい合う側に、体毛（９）を切断するための第１刃先（４）が形成されている。本発明に基づく内刃体（１）の特徴は、各対の刃（３）の互いに反対の側に、第１刃先（４）より弱い切断作用を有する体毛（９）を切断するための第２刃先（５）が形成されていることにある。
2007510480.tif 000002
【特許請求の範囲】
【請求項１】
隣り合う刃（３）同士がそれぞれ対を成して配置された複数の刃（３）を備え、各対の刃（３）の互いに向かい合う側に、体毛（９）を切断するための第１刃先（４）が形成されている、振動駆動式かみそりヘッドの内刃体において、
各対の刃（３）の互いに反対の側に、第１刃先（４）より弱い切断作用を有した、体毛（９）を切断するための第２刃先（５）が形成されている、ことを特徴とする内刃体。
【請求項２】
第１刃先（４）を形成する２面間の第１切刃角（α）が、第２刃先（５）の第２切刃角（β）より小さくなっている、ことを特徴とする請求項１記載の内刃体。
【請求項３】
第１切刃角（α）が鋭角、好適には、約４５°である、ことを特徴とする請求項２記載の内刃体。
【請求項４】
第２切刃角（β）が約９０°である、ことを特徴とする請求項２又は３に記載の内刃体。
【請求項５】
第１刃先（４）および／又は第２刃先（５）が最大５μｍの刃先半径を有している、ことを特徴とする請求項１ないし４のいずれか１つに記載の内刃体。
【請求項６】
互いに隣り合う第１刃先（４）同士の間の刃先間隔（Ａ１）が、互いに隣り合う第２刃先（５）同士の間の刃先間隔（Ａ２）より小さい、ことを特徴とする請求項１ないし５のいずれか１つに記載の内刃体。
【請求項７】
互いに隣り合う第１刃先（４）同士の間の刃先間隔（Ａ１）が約２５０μｍである、ことを特徴とする請求項１ないし６のいずれか１つに記載の内刃体。
【請求項８】
互いに隣り合う第２刃先（５）同士の間の刃先間隔（Ａ２）が約８００μｍである、ことを特徴とする請求項１ないし７のいずれか１つに記載の内刃体。
【請求項９】
請求項１ないし８のいずれか１つに記載の内刃体（１）を備えている、ことを特徴とする振動駆動式かみそりヘッド。
【請求項１０】
複数の体毛導入孔（７）を有する外刃体（２）を更に備え、内刃体（１）の運動方向に対して平行な方向における体毛導入孔（７）の最大寸法が、内刃体（１）の互いに隣り合う第１刃先（４）同士の間の刃先間隔（Ａ１）より大きく、および／又は、内刃体（１）の互いに隣り合う第２刃先（５）同士の間の刃先間隔（Ａ２）より小さい、ことを特徴とする請求項９記載のかみそりヘッド。
【請求項１１】
内刃体（１）と外刃体（２）との振動相対運動によって体毛（９）を切断する方法において、
少なくとも数本の体毛（９）が、まず第２刃先（５）によって、続いて、第２刃先（５）より大きな切断作用を有する同じ内刃体（１）の第１刃先（４）によって切断される、ことを特徴とする体毛（９）を切断する方法。
【請求項１２】
第１刃先（４）が体毛（９）との接触時に体毛（９）を切り込み、体毛（９）をその切込み部位で切断する、ことを特徴とする請求項１１記載の方法。
【発明の詳細な説明】
【技術分野】
【０００１】
本発明は、振動（往復）駆動式かみそりヘッドの内刃体に関する。また本発明は、そのような内刃体を備えた振動駆動式かみそりヘッドおよび体毛の切断方法に関する。
【背景技術】
【０００２】
振動駆動式かみそりヘッドの内刃体は、外刃体と協働して体毛を切断するために使われる。そのために、内刃体は外刃体に対して平行に相対振動運動させられ、その際、外刃体に対して或る押圧力で押し付けられる。外刃体は例えば、複数の体毛導入孔を有する網刃として形成されている。体毛導入孔を通して体毛だけでなく、皮膚も内刃体の活動範囲に到達するので、皮膚が内刃体に接触して刺激を受けたり傷ついたりする恐れがある。
【０００３】
これを防止するために特許文献１に、各対の内刃の互いに隣り合う刃先同士の間の刃先間隔を、網刃の体毛導入孔の幅より狭く形成することが提案されている。さらに、各対の内刃の互いに反対の側に位置する面に、小さな摩擦係数の材料から成る被覆層が形成されている。内刃が被覆層の範囲で体毛あるいは皮膚に接触したとき、内刃は切断作用を及ぼすことなく、すべり抜ける。これに対して、内刃が刃先の部位で体毛に接触したとき、体毛は刃先でつかまれ、切断される。その際、皮膚の刺激や傷つきは、皮膚が被覆層によって持ち上げられ、小さな刃先間隔のために刃先ときつく接触しないことによって、十分に防止される。
【０００４】
特許文献１で公知の電気かみそりは確かに、皮膚に優しいひげそりを可能にする。もっとも、内刃が片側でしか切断せず、従って、内刃と体毛との接触の一部でしか体毛の切り詰めが生じない、という点でひげそりの完璧性が害されている。
【特許文献１】特開平１０−１１８３５８号明細書
【発明の開示】
【発明が解決しようとする課題】
【０００５】
本発明の課題は、できるだけ完璧で皮膚に優しいひげそりを生じせることにある。
【課題を解決するための手段】
【０００６】
この課題は特許請求の範囲請求項１に記載の特徴によって解決される。  
本発明に基づく振動駆動式かみそりヘッドの内刃体は、それぞれ対を成して配置された複数の刃を有し、各対の刃の互いに向かい合う側に、体毛を切断するための第１刃先が形成されている。本発明に基づく内刃体の特徴は、各対の刃の互いに反対の側に、第１刃先より弱い切断作用を有する体毛を切断するための第２刃先が形成されている、ことにある。
【０００７】
本発明の利点は、ひげそり快適性を害することなく、非常に完璧なひげそりが得られることにある。特に、刃の両側面が異なって形成され、それに伴って皮膚に対する優しさも異なっているにもかかわらず、刃の両側がひげそり作用に貢献する、という利点を有している。
【０００８】
本発明に基づく内刃体の有利な実施態様において、第１刃先が、第１刃先を形成する２つの面の間に、第２刃先が有する第２切刃角より小さな第１切刃角を有している。第１切刃角は鋭角として形成され、好適には、約４５°である。第２切刃角は、好適には、約９０°である。また、第１刃先と第２刃先の少なくとも一方が最大５μｍの刃先半径を有している、ことが有利である。さらに、互いに隣り合う第１刃先同士の間の刃先間隔が、互いに隣り合う第２刃先同士の間の刃先間隔より小さい、ことが有利である。この条件下において、皮膚は、互いに隣り合う第１刃先間に、互いに隣り合う第２刃先間より、本質的に僅かしかふくらみ込まない。その結果、比較的鋭い第１刃先により皮膚を刺激したり傷つけたりする恐れがなくなる。特に、互いに隣り合う第１刃先同士の間の刃先間隔は約２５０μｍであり、互いに隣り合う第２刃先同士の間の刃先間隔は約８００μｍである。
【０００９】
本発明はまた、本発明に基づく内刃体が装備された振動駆動式かみそりヘッドに関する。本発明に基づくかみそりヘッドは、複数の体毛導入孔を備えた外刃体を有し、内刃体の運動方向に対して平行な方向における体毛導入孔の最大寸法は、内刃体の刃の互いに隣り合う第１刃先同士の間の刃先間隔より大きいか、内刃体の刃の互いに隣り合う第２刃先同士の間の刃先間隔より小さいかの少なくとも一方にされている。これによって、外刃体の体毛導入孔を通しての皮膚の或るふくらみ込みも許され、従って、体毛が皮膚に非常に近くで切断される。同時に、皮膚を刺激したり傷つけたりする結果を招く皮膚と刃先との強い接触は防止される。
【００１０】
本発明に基づく内刃体と外刃体との振動相対運動によって体毛を切断する方法は、少なくとも数本の体毛が、まず第２刃先によって、続いて、第２刃先より大きな切断作用を有する同じ内刃の第１刃先によって切断される、ことを特徴としている。
【００１１】
第２刃先による体毛の予切詰めによって、第１刃先が互いに密に接近され、これによって、皮膚に非常に優しく作業する内刃体を採用することを可能にする。予め切り詰められた体毛は、第１刃先間の非常に狭い隙間の中にも問題なく侵入し、そこで皮膚に非常に近くで切断される。皮膚にできるだけ近くでの体毛切断に関して、第１刃先が体毛との接触時に体毛を切り込み、体毛をその切込み部位で切断する、ことが有利である。
【発明を実施するための最良の形態】
【００１２】
以下図に示した実施例を参照して本発明を詳細に説明する。  
図１には、本発明に基づいて形成された電気かみそりのかみそりヘッドの実施例における幾つかの構成要素が概略断面図で示されている。ここでは、内刃体１およびこの内刃体１が接する網刃（外刃体）２が示されている。この図で選択された断面は、内刃体１と網刃２との相対運動方向に対して平行に延びており、ここでは一部領域だけ示されている。内刃体１は規則的順序で配置された複数の刃３を有している。各刃３は第１刃先４と、この第１刃先４とは反対の側に配置された第２刃先５とを有している。刃３の幾何学形状は図２に詳しく示されている。
【００１３】
第１刃先４および第２刃先５はそれぞれ、内刃体１の連続して配設された刃３において第１刃先４および第２刃先５が、２つずつ互い違いに連続して位置するように方向づけられている。これは、１つの刃３と、これに隣り合う刃３とが対（組）を成していることを意味し、その互いに向かい合う側に第１刃先４が形成され、互いに反対の側に第２刃先５が形成されている。互いに隣り合う第１刃先４同士の間に刃先間隔Ａ１が形成され、こ同士の間の刃先間隔Ａ１は、互いに隣り合う第２刃先５同士の間の刃先間隔Ａ２より小さくされている。好適には、第１刃先４同士の間の刃先間隔Ａ１は約２５０μｍであり、第２刃先５同士の間の刃先間隔Ａ２は約８００μｍである。内刃体１は、例えば電型法、エッチング法、刻印加工法、打抜き加工法あるいは研削加工法のような一連の種々の技術で製造される。
【００１４】
図１に示された網刃２は、複数の体毛導入孔７を有し、各体毛導入孔７をそれぞれ囲い込むリブ６から成っている。内刃体１の運動方向に対して平行な方向における体毛導入孔７の最大横寸法Ａ３は、特に、内刃体１の互いに隣り合う第１刃先４同士の間の刃先間隔Ａ１より大きく、および／又は、内刃体１の互いに隣り合う第２刃先５同士の間の刃先間隔Ａ２より小さい、ように選択されている。その網刃２の体毛導入孔７の最大横寸法Ａ３は、代表的には、約５００μｍである。ひげそり過程中、内刃体１は刃先４、５の部位で網刃２のリブ６に接し、網刃２に対して振動（往復）運動する。その振動運動は、網刃２に対して平行方向に延び、図１に二重矢印で示されている。後に図３および図４を参照してひげそり過程を詳細に説明する。
【００１５】
図２には、図１に示された内刃体１の刃３における外側輪郭が拡大して示されている。刃３の第１刃先４は、互いに９０°より小さな第１切刃角αを成す２つの面によって形成され、即ち、第１切刃角αは鋭角に形成されている。好適には、第１切刃角αは約４５°である。刃３の第２刃先５は、好適には、約９０°の第２切刃角βを有している。原理的には、第２切刃角βは有利な値と異ならせることもできる。もっとも、いずれにしても、第２切刃角βは第１切刃角αより大きく、従って、第２刃先５は第１刃先４より弱い切断作用を有する。第１刃先４および第２刃先５の刃先半径は５μｍ以下である。
【００１６】
図３には、本発明に基づくかみそりヘッドの運転中の瞬間状態が概略的に断面図で示されている。ここでは、網刃２の１つの体毛導入孔７の周辺領域およびこの領域にわたって移動する内刃体１の一対の刃３が示されている。この図には、網刃２の体毛導入孔７の内部に、皮膚８の一部が体毛９と共に示されている。その皮膚８は、網刃２への押付けによって、皮膚８が部分的に、刃３の刃先４、５が移動する切断平面１０を越えて突出するほどに大きく網刃２の体毛導入孔７の中にふくらみ込む。図示された時点で、内刃体１の刃３は矢印の方向に右から左に移動し、その際、先行する刃３が第２刃先５で皮膚８にちょうど接触する。
【００１７】
内刃体１の継続運動経過中、先行する刃３が皮膚ふくらみ部を第２刃先５で前へ移動させ、その皮膚部を網刃２の体毛導入孔７から押し出す。その際、第２刃先５の大きな第２切刃角βのために、皮膚８を傷つけたり刺激したりしない。最終的に、先行する刃３は第２刃先５で、網刃２の体毛導入孔７の中に突出している体毛９に突き当たる。先行する刃３は体毛９を、この体毛９に切り込みを入れることなく、第２刃先５で、網刃２の体毛導入孔７を境界づけるリブ６まで変位させる。その際、第２刃先５は体毛９に沿って幾分すべる。体毛９は網刃２のリブ６に衝突した時に第２刃先５で切断される。もっとも、その切断は、中間時点のすべりのために、第２刃先５が最初に接触した個所ではなく、皮膚８からかなり離れた個所で行われる。
【００１８】
先行する刃３に対して、刃先間隔Ａ１で後続の刃３が続く。その後続の刃３は第１刃先４を前にして移動する。皮膚８が先行する刃３の第２刃先５によって網刃２の体毛導入孔７から押し出され、先行する刃３の第１刃先４と後続の刃３の第１刃先４との間の狭い隙間にふくらみ込んでいないので、第１刃先４の小さな第１切刃角αにもかかわらず、皮膚８を刺激したり傷つけたりしない。内刃体１の継続運動経過中、先行する刃３の第２刃先５による切断直後に再び直立している、先行する刃３で切り詰められた体毛９に対して、後続の刃３が第１刃先４で突き当たる。この状態は図４に示されている。
【００１９】
図４には、本発明に基づくかみそりヘッドの運転中の図３と異なった瞬時状態が示されている。この瞬時状態は、後続の刃３の第１刃先４が体毛９に接触した時点に相当している。この接触時に、後続の刃３の第１刃先４は体毛９を切り込み、これによって、体毛９は後続の刃３に固定される。この過程において後続の刃３の第１刃先４が皮膚８に直に接触するので、第１刃先４は皮膚８に非常に近くで体毛９を切り込む。後続の刃３と共に、体毛９は網刃２のリブ６まで運ばれ、そこで後続の刃３の第１刃先４によって、最初の接触個所で、従って、皮膚８に非常に近い個所で切断される。
【００２０】
従って、第１刃先４で得られる第２刃先５に比べて非常に短い切断長は、第１刃先４が体毛９の最初の接触時に体毛９を切り込み、従って体毛９に沿ってすべらなくなることによって実現される。また、第１刃先４の鋭角な形成は、体毛９を切断するために小さな切断力しか必要とせず、体毛９における応力領域がかなり局部化される。これによって、既に予め切り詰められた体毛９が効果的に再度切り詰められる。
【００２１】
これに対して、第２刃先５による切断過程は、大きな切断力を必要とし、体毛９に大きな応力領域を生じさせる。これは、既に予め切り詰められた体毛９において、網刃２のリブ６と刃３の第２刃先５との間に挟まれた体毛９が切断されずに網刃２の体毛導入孔７から跳ね出させる。この場合、短い最終長への切断は行われない。しかし、既に予め切り詰められた体毛９が確実に第１刃先４によって切断されるので、第１刃先４と第２刃先５との組合せから、非常に完璧で皮膚に優しいひげそりが生ずる。
【図面の簡単な説明】
【００２２】
【図１】本発明に基づいて形成された電気かみそりのかみそりヘッドの実施例における幾つかの構成要素の概略断面図。
【図２】図１に示された刃の外側輪郭の拡大図。
【図３】本発明に基づくかみそりヘッドの運転中の瞬時状態の断面図。
【図４】本発明に基づくかみそりヘッドの運転中の図３と異なった瞬時状態の断面図。
【図１】
2007510480.tif 000003
【図２】
2007510480.tif 000004
【図３】
2007510480.tif 000005
【図４】
2007510480.tif 000006
【国際調査報告】
2007510480.tif 000007
2007510480.tif 000008
2007510480.tif 000009
2007510480.tif 000010
2007510480.tif 000011
2007510480.tif 000012